(57)【要約】【課題】本発明はスポーツサングラスを開示した。【解決手段】本発明はスポーツサングラスを公示し、リムを含み、前記リムの中には収納溝が左右対称に設置され、前記収納溝の中には変色機構が設置され、前記変色機構は入力軸を含み、前記入力軸は前記収納溝の後端壁と回転可能に連結され、前記入力軸の上側には伝動軸と出力軸が設置され、前記伝動軸と前記出力軸とは前記収納溝の後端壁と回転可能に連結され、前記出力軸は前記伝動軸の右側に位置しており、本装置は防風・遮光・防塵などの機能を有し、異なる天候に遭遇した時に、レンズの色を変えることで天候に適応され、良き使用体験を得られ、また、サイクリングなどをする時に、風を利用してメガネと利用者との接触部を冷やし、曇ることを防げ、視覚に響かないである。【選択図】図１
2020184054.tif 000002
【特許請求の範囲】
【請求項１】
正面視で、リムを含み、前記リムの中には収納溝が左右対称に設置され、前記収納溝の中には変色機構が設置され、前記変色機構は入力軸を含み、前記入力軸は前記収納溝の後端壁と回転可能に連結され、前記入力軸の上側には伝動軸と出力軸が設置され、前記伝動軸と前記出力軸とは前記収納溝の後端壁と回転可能に連結され、前記出力軸は前記伝動軸の右側に位置しており、前記出力軸には回転棒が固定的に設置され、前記回転棒の上端面には第一曲り棒が固定的に設置され、前記回転棒の右端面には第二曲り棒が固定的に設置され、前記伝動軸には大型歯車と雁木車とが固定的に設置され、前記雁木車は前記大型歯車の前側に位置しており、前記出力軸には前記大型歯車と噛み合った小型歯車が固定的に設置され、前記収納溝の左端壁には外部と連通した移動溝が設置され、前記移動溝の上端壁には弾性溝が設置され、前記弾性溝の右端壁には弾性ばねが固定的に設置され、前記弾性ばねの左端には弾性棒が固定的に設置され、前記弾性棒と前記弾性溝とはスライド可能に連結され、前記弾性棒の下端には移動ブロックが固定的に設置され、前記移動ブロックは前記移動溝を貫通しており、前記移動ブロックが右へ運動する時に、回転棒を押して回転させ、第一曲り棒と第二曲り棒との運動を連動させることができ、それにより、雁木車を一定の角度に回転連動させることができ、前記収納溝の前端壁の中には方形溝が設置され、前記出力軸の前端は前記方形溝を貫通し、且つ外部に位置しており、前記方形溝の中には通風機構が設置され、前記通風機構は前記出力軸の中に位置した昇降溝を含み、前記昇降溝の後端壁には昇降ばねが固定的に設置され、前記昇降ばねの前端には昇降棒が固定的に設置され、前記昇降棒は前記昇降溝とスライド可能に連動され、前記昇降棒のうち方形溝に近接した端には昇降ブロックが固定的に設置され、外部に位置する前記出力軸の中には回転溝が三つ設置され、前記回転溝の中には回転軸が回転可能に設置され、前記回転軸には糸巻輪と細棒とが固定的に設置され、前記糸巻輪と前記昇降ブロックとはロープで連結され、前記細棒のうち前記出力軸から離れた端は外部に位置し、前記細棒には有色プラスチックシートが固定的に設置されていることを特徴とするスポーツサングラス。
【請求項２】
前記通風機構は二つの左右対称な通気溝を含み、前記通気溝は前記リムの中に位置し、且つ前方に開口しており、前記通気溝は曲線溝によって前記方形溝と連通しており、前記方形溝は排気溝によって外部と連通しており、前記曲線溝の内側端壁には通気網が装着されていることを特徴とする請求項１に記載のスポーツサングラス。
【請求項３】
前記リムの中にはメガネ溝が設置され、前記メガネ溝は前記リムの前後端壁を貫通しており、前記メガネ溝の上端壁には第一ゴムブロックが左右対称に、且つ固定的に設置され、前記メガネ溝の下端壁には第二ゴムブロックが左右対称に、且つ固定的に設置され、前記メガネ溝の下端壁の中心には弓形ゴムブロックが固定的に設置され、前記第一ゴムブロックと、前記第二ゴムブロックと、前記弓形ゴムブロックとの間にはレンズが設けられ、前記リムの後端面には紐が装着され、前記紐には前記紐の長さを調整できる紐結び器が装着されていることを特徴とする請求項１に記載のスポーツサングラス。
【発明の詳細な説明】
【技術分野】
【０００１】
本発明はメガネ分野を取り上げ、具体的にはスポーツサングラスである。
【背景技術】
【０００２】
スポーツサングラスは自転車・オートバイ・電動自転車などに乗る時に着用するメガネであり、防風・防雨・防塵機能を備えている。しかし、既存のスポーツサングラスでは、使用時に利用者との接触部は放熱が難しく、メガネが曇ってしまう。また、基本的には環境に応じてレンズ色を変えることができず、適応性が弱い。
【先行技術文献】
【特許文献】
【０００３】
【特許文献１】中国特許出願公開第１０７５２６１８５号明細書
【発明の概要】
【発明が解決しようとする課題】
【０００４】
本発明はスポーツサングラスを提供し、既存技術にある上記の欠点を解消することを目的とする。
【課題を解決するための手段】
【０００５】
上記の目的を実現するため、本発明は以下の技術プランを提供する：本発明のスポーツサングラスは、リムを含み、前記リムの中には収納溝が左右対称に設置され、前記収納溝の中には変色機構が設置され、前記変色機構は入力軸を含み、前記入力軸は前記収納溝の後端壁と回転可能に連結され、前記入力軸の上側には伝動軸と出力軸が設置され、前記伝動軸と前記出力軸とは前記収納溝の後端壁と回転可能に連結され、前記出力軸は前記伝動軸の右側に位置しており、前記出力軸には回転棒が固定的に設置され、前記回転棒の上端面には第一曲り棒が固定的に設置され、前記回転棒の右端面には第二曲り棒が固定的に設置され、前記伝動軸には大型歯車と雁木車とが固定的に設置され、前記雁木車は前記大型歯車の前側に位置しており、前記出力軸には前記大型歯車と噛み合った小型歯車が固定的に設置され、前記収納溝の左端壁には外部と連通した移動溝が設置され、前記移動溝の上端壁には弾性溝が設置され、前記弾性溝の右端壁には弾性ばねが固定的に設置され、前記弾性ばねの左端には弾性棒が固定的に設置され、前記弾性棒と前記弾性溝とはスライド可能に連結され、前記弾性棒の下端には移動ブロックが固定的に設置され、前記移動ブロックは前記移動溝を貫通しており、前記移動ブロックが右へ運動する時に、回転棒を押して回転させ、第一曲り棒と第二曲り棒との運動を連動させることができ、それにより、雁木車を一定の角度に回転連動させることができ、前記収納溝の前端壁の中には方形溝が設置され、前記出力軸の前端は前記方形溝を貫通し、且つ外部に位置しており、前記方形溝の中には通風機構が設置され、前記通風機構は前記出力軸の中に位置した昇降溝を含み、前記昇降溝の後端壁には昇降ばねが固定的に設置され、前記昇降ばねの前端には昇降棒が固定的に設置され、前記昇降棒は前記昇降溝とスライド可能に連動され、前記昇降棒のうち方形溝に近接した端には昇降ブロックが固定的に設置され、外部に位置する前記出力軸の中には回転溝が三つ設置され、前記回転溝の中には回転軸が回転可能に設置され、前記回転軸には糸巻輪と細棒とが固定的に設置され、前記糸巻輪と前記昇降ブロックとはロープで連結され、前記細棒のうち前記出力軸から離れた端は外部に位置し、前記細棒には有色プラスチックシートが固定的に設置されている。
【０００６】
優選的に、前記通風機構は二つの左右対称な通気溝を含み、前記通気溝は前記リムの中に位置し、且つ前方に開口しており、前記通気溝は曲線溝によって前記方形溝と連通しており、前記方形溝は排気溝によって外部と連通しており、前記曲線溝の内側端壁には通気網が装着されている。
【０００７】
優選的に、前記リムの中にはメガネ溝が設置され、前記メガネ溝は前記リムの前後端壁を貫通しており、前記メガネ溝の上端壁には第一ゴムブロックが左右対称に、且つ固定的に設置され、前記メガネ溝の下端壁には第二ゴムブロックが左右対称に、且つ固定的に設置され、前記メガネ溝の下端壁の中心には弓形ゴムブロックが固定的に設置され、前記第一ゴムブロックと、前記第二ゴムブロックと、前記弓形ゴムブロックとの間にはレンズが設けられ、前記リムの後端面には紐が装着され、前記紐には前記紐の長さを調整できる紐結び器が装着されている。
【発明の効果】
【０００８】
本発明のメリットは：本装置は防風・遮光・防塵などの機能を有し、異なる天候に遭遇した時に、レンズの色を変えることで天候に適応され、良き使用体験を得られ、また、サイクリングなどをする時に、風を利用してメガネと利用者との接触部を冷やし、曇ることを防げ、視覚に響かないである。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のスポーツサングラスの全体断面の正面構成略図
【図２】図２に図１におけるＡ―Ａの構成略図
【図３】図３は図２におけるＤの拡大構成略図
【図４】図４は図２におけるＣ―Ｃの構成略図
【図５】図５は図２におけるＢ―Ｂの構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜５を参照し、本発明のスポーツサングラスは、リム１０を含み、前記リム１０の中には収納溝２８が左右対称に設置され、前記収納溝２８の中には変色機構５１が設置され、前記変色機構５１は入力軸２４を含み、前記入力軸２９は前記収納溝２８の後端壁と回転可能に連結され、前記入力軸２４の上側には伝動軸２３と出力軸２９が設置され、前記伝動軸２３と前記出力軸２９とは前記収納溝２８の後端壁と回転可能に連結され、前記出力軸２９は前記伝動軸２３の右側に位置しており、前記出力軸２４には回転棒２６が固定的に設置され、前記回転棒２６の上端面には第一曲り棒４６が固定的に設置され、前記回転棒２６の右端面には第二曲り棒２７が固定的に設置され、前記伝動軸２３には大型歯車２２と雁木車４７とが固定的に設置され、前記雁木車４７は前記大型歯車２２の前側に位置しており、前記出力軸２９には前記大型歯車２２と噛み合った小型歯車２１が固定的に設置され、前記収納溝２８の左端壁には外部と連通した移動溝２５が設置され、前記移動溝２５の上端壁には弾性溝４４が設置され、前記弾性溝４４の右端壁には弾性ばね４５が固定的に設置され、前記弾性ばね４５の左端には弾性棒４３が固定的に設置され、前記弾性棒４３と前記弾性溝４４とはスライド可能に連結され、前記弾性棒４３の下端には移動ブロック１４が固定的に設置され、前記移動ブロック１４は前記移動溝２５を貫通しており、前記移動ブロック１４が右へ運動する時に、回転棒２６を押して回転させ、第一曲り棒４６と第二曲り棒２７との運動を連動させることができ、それにより、雁木車４７を一定の角度に回転連動させることができ、前記収納溝２８の前端壁の中には方形溝３１が設置され、前記出力軸２９の前端は前記方形溝３１を貫通し、且つ外部に位置しており、前記方形溝３１の中には通風機構５０が設置され、前記通風機構５０は前記出力軸２９の中に位置した昇降溝３６を含み、前記昇降溝３６の後端壁には昇降ばね４１が固定的に設置され、前記昇降ばね４１の前端には昇降棒３８が固定的に設置され、前記昇降棒３８は前記昇降溝３６とスライド可能に連動され、前記昇降棒３８のうち方形溝３１に近接した端には昇降ブロック３７が固定的に設置され、外部に位置する前記出力軸２９の中には回転溝３３が三つ設置され、前記回転溝３３の中には回転軸３４が回転可能に設置され、前記回転軸３４には糸巻輪３２と細棒１３とが固定的に設置され、前記糸巻輪３２と前記昇降ブロック３７とはロープ３５で連結され、前記細棒１３のうち前記出力軸２９から離れた端は外部に位置し、前記細棒１３には有色プラスチックシート１２が固定的に設置されている。
【００１３】
好ましくは、前記通風機構５０は二つの左右対称な通気溝１６を含み、前記通気溝１６は前記リム１０の中に位置し、且つ前方に開口しており、前記通気溝１６は曲線溝４２によって前記方形溝３１と連通しており、前記方形溝３１は排気溝４８によって外部と連通しており、前記昇降ブロック３７は前記曲線溝４２と前記弾性棒４３とを隔てることで、前記曲線溝４２と前記排気溝４８とを連通できないようにし、前記曲線溝４２の内側端壁には通気網３９が装着されている。
【００１４】
好ましくは、前記リム１０の中にはメガネ溝１９が設置され、前記メガネ溝１９は前記リム１０の前後端壁を貫通しており、前記メガネ溝１９の上端壁には第一ゴムブロック１５が左右対称に、且つ固定的に設置され、前記メガネ溝１９の下端壁には第二ゴムブロック１１が左右対称に、且つ固定的に設置され、前記メガネ溝１９の下端壁の中心には弓形ゴムブロック１７が固定的に設置され、前記第一ゴムブロック１５と、前記第二ゴムブロック１１と、前記弓形ゴムブロック１７との間にはレンズ１８が設けられ、前記第一ゴムブロック１５と、前記第二ゴムブロック１１と、前記弓形ゴムブロック１７とによってレンズ１８を挟み固定し、前記リム１０の後端面には紐３０が装着され、前記紐３０には前記紐３０の長さを調整できる紐結び器２０が装着されている。  
【００１５】
下記に、図１〜５と前述した本願発明の具体的構成とを参照し、本願発明の使用方法について詳しく説明する：
【００１６】
紐３０と紐結び器２０とによって装置を頭に結び、サイクリングなどをする時に、レンズ１８は防風・遮光・防塵などの機能を発揮でき、異なる天候に会う時に、移動ブロック１４を押し、回転棒２６を押して回転させ、それにより、入力軸２４は回転連動され、入力軸２４は第一曲り棒４６と第二曲り棒２７との回転を連動させ、それにより、雁木車４７は一定の角度を回転連動され、大型歯車２２と小型歯車２１との噛合伝動及び大型歯車２２と小型歯車２１との速度伝達比によって、小型歯車２１を九十度回転連動させ、異なる有色プラスチックシート１２をレンズ１８の前側に回し、天候に適応させ、より良い効果を生み出すことができる。
【００１７】
サイクリングなどをする時に、風は有色プラスチックシート１２を吹き、有色プラスチックシート１２の回転を連動させ、それにより、回転軸３４は回転連動されロープ３５を巻き、昇降ブロック３７を引き上げ、曲線溝４２と排気溝４８とを連通させ、風は通気溝１６を通じて曲線溝４２に入り、そして風は排気溝４８から出て、風は通気網３９を通じてメガネ溝１９の中には入り、メガネと使用者との接触部を冷やし、曇ることを防ぐ。
【００１８】
本発明のメリットは：本装置は防風・遮光・防塵などの機能を有し、異なる天候に遭遇した時に、レンズの色を変えることで天候に適応され、良き使用体験を得られ、また、サイクリングなどをする時に、風を利用してメガネと利用者との接触部を冷やし、曇ることを防げ、視覚に響かないである。
【００１９】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【図１】
2020184054.tif 000003
【図２】
2020184054.tif 000004
【図３】
2020184054.tif 000005
【図４】
2020184054.tif 000006
【図５】
2020184054.tif 000007